(57)【特許請求の範囲】
【請求項１】
所定の長さの導線を用意する工程と、
４つの辺部により略ロの字形状をなすコアの対向する一対の該辺部をそれぞれ環装するようにして設けられ該導線が巻回される巻芯部をそれぞれ有し該巻芯部の軸方向が略平行をなし該軸方向の両端にそれぞれ鍔部を有し該巻芯部の軸方向の略中間の位置には該巻芯部をそれぞれ軸方向に一次側と二次側とに２分割する絶縁壁が設けられた第１のボビン及び第２のボビンのうちの該第１のボビンの鍔部に該導線の一端部分を係止し、該第２のボビンの鍔部に該導線の他端部分を係止する導線端部分係止工程と、
該導線の一端部分と他端部分との間の部分に張力を付加した状態とし、該第１のボビンを該辺部を回転軸として回転させて該一次側と該二次側とのそれぞれにおいて同時に該導線を該第１のボビンの巻芯部に巻回すると同時に、該第１ボビンと同一の回転方向に該第２のボビンを該辺部を回転軸として回転させて該一次側と該二次側とのそれぞれにおいて同時に該導線を該第２のボビンの巻芯部に巻回する導線巻回工程とを有することを特徴とするコモンモードフィルタの製造方法。
【請求項２】
該導線巻回工程において、該張力の付加は該導線の一端部分と他端部分との間の部分をプーリに掛けることにより行い、該導線を巻き終わる直前に該プーリから該導線を外すことを特徴とする請求項１記載のコモンモードフィルタの製造方法。
【発明の詳細な説明】
【技術分野】
【０００１】
本発明はコモンモードフィルタの製造方法に関し、特に４つの辺部を有する略ロの字形状をなすコアと、対向する一対の当該辺部にそれぞれ設けられ２本の導線が巻回されたボビンとを有するコモンモードフィルタの製造方法に関する。
【背景技術】
【０００２】
コモンモードフィルタとしては、４つの辺部を有する略ロの字形状をなすコアと、当該辺部に回転可能に支承され導線が巻回されたボビンとを有する構成のコイル部品が知られている。ボビンは、互いに対向するコアの一対の辺部にそれぞれ１つずつ設けられ、コアの当該辺部を回転軸として回転可能に辺部に支承されている。
【０００３】
ボビンは、略円柱形状をした巻芯部と、巻芯部の一端及び他端に設けられ巻芯部の延出方向に略垂直に延出する鍔部とを備えており、回転軸に沿った分割面で半割に分割可能に構成されている。巻芯部の一端及び他端の鍔部は互いに噛合し合う歯車を有する。ボビンの軸心位置にコアの辺部が配置された状態で、半割状の一対のボビンが互いに分割面が当接され接続されることによりコアの辺部を環装するように当該辺部に配置される。この状態でボビンを回転させることにより、それぞれのボビンの巻芯部に１本ずつ導線を巻回することができるように構成されている。このようなコイル部品は、例えば、実開平６−２３２３１号公報（特許文献１）に記載されている。
【特許文献１】実開平６−２３２３１号公報
【発明の開示】
【発明が解決しようとする課題】
【０００４】
しかし、従来のコモンモードフィルタでは、良好なディファレンシャルモードインピーダンス周波数特性を得ることはできるが、良好な直流重畳特性を得ることは困難であった。そこで、本発明は、良好な直流重畳特性を得ることができる当該コモンモードフィルタの製造方法を提供することを目的とする。
【課題を解決するための手段】
【０００５】
上記目的を達成するために本発明は、所定の長さの導線を用意する工程と、４つの辺部により略ロの字形状をなすコアの対向する一対の該辺部をそれぞれ環装するようにして設けられ該導線が巻回される巻芯部をそれぞれ有し該巻芯部の軸方向が略平行をなし該軸方向の両端にそれぞれ鍔部を有し該巻芯部の軸方向の略中間の位置には該巻芯部をそれぞれ軸方向に一次側と二次側とに２分割する絶縁壁が設けられた第１のボビン及び第２のボビンのうちの該第１のボビンの鍔部に該導線の一端部分を係止し、該第２のボビンの鍔部に該導線の他端部分を係止する導線端部分係止工程と、該導線の一端部分と他端部分との間の部分に張力を付加した状態とし、該第１のボビンを該辺部を回転軸として回転させて該一次側と該二次側とのそれぞれにおいて同時に該導線を該第１のボビンの巻芯部に巻回すると同時に、該第１ボビンと同一の回転方向に該第２のボビンを該辺部を回転軸として回転させて該一次側と該二次側とのそれぞれにおいて同時に該導線を該第２のボビンの巻芯部に巻回する導線巻回工程とを有するコモンモードフィルタの製造方法を提供している。
【０００６】
第１のボビン及び第２のボビンのうちの第１のボビンの鍔部に導線の一端部分を係止し、第２のボビンの鍔部に導線の他端部分を係止する導線端部分係止工程と、第１のボビンを辺部を回転軸として回転させて導線を第１のボビンの巻芯部に巻回すると同時に、第１ボビンと同一の回転方向に第２のボビンを辺部を回転軸として回転させて導線を第２のボビンの巻芯部に巻回する導線巻回工程とを有するため、導線の巻回にかかる時間を短縮して、絶縁壁の当該一次側と二次側とにおいて、それぞれの導線の一端寄りの部分を第１のボビンに巻回し、一端寄りの部分が第１のボビンに巻回される方向と同一の方向にそれぞれの導線の他端寄りの部分を第２のボビンに巻回して導線を第１のボビンと第２のボビンとを掛渡すように配置することができる。また、導線巻回工程において、一次側と二次側とのそれぞれにおいて導線を同時に巻回するため、導線の巻回にかかる時間を大幅に短縮することができる。
【０００７】
ここで、該導線巻回工程において、該張力の付加は該導線の一端部分と他端部分との間の部分をプーリに掛けることにより行い、該導線を巻き終わる直前に該プーリから該導線を外すことが好ましい。
【発明の効果】
【０００８】
以上により、本発明は、良好な直流重畳特性を得ることができるコモンモードフィルタの製造方法を提供することができる。
【発明を実施するための最良の形態】
【０００９】
本発明の実施の形態によるコモンモードフィルタの製造方法により製造されるコモンモードフィルタについて図１乃至図７を参照しながら説明する。図１に示されるようにコモンモードフィルタ１は、コア１０と、ボビン２０と、巻線３０と、絶縁ベース４０とを備えている。
【００１０】
コア１０は磁性体（例えば、フェライト等）からなり、図１、図２に示されるように、一体で構成された略ロの字形状をなしている。コア１０は、一対の短辺部１１、１１と一対の長辺部１２、１２（図２）とを有しており、長辺部１２、１２の長手方向に垂直に切った長辺部１２、１２の断面は、それぞれ略８角形状をなしている。長辺部１２、１２には、ボビン２０、２０（図１）がそれぞれ環装した状態で、長辺部１２、１２に対して回転可能に１つずつ支承されて設けられている。
【００１１】
ボビン２０、２０は略円筒形状をした巻芯部２１（図７）をそれぞれ有しており、図７に示されるように、巻芯部２１の軸心位置にはコア１０の長辺部１２がそれぞれ配置され、巻芯部２１の軸心方向は互いに平行をなしている。巻芯部２１の一端と他端とにはそれぞれ鍔部２２（図１等）が設けられている。また、巻芯部２１の一端と他端との中間の位置には、中鍔部２３が設けられている。鍔部２２、中鍔部２３は、それぞれ巻芯部２１の軸方向に垂直に延出して略フランジ状をなしている。２つのボビン２０、２０はそれぞれ同一形状をなしているため、一方のボビン２０（第１のボビン２０（１））についてのみ説明し、他方のボビン２０（第２のボビン２０（２））については説明を省略する。また、ボビン２０は、ボビン２０の軸方向中央位置であって軸心位置を中心として点対称の形状になっているため、巻芯部２１の一端の鍔部２２−１についてのみ説明し他端の鍔部２２−２については説明を省略する。図１において左下寄りに配置されたボビン２０は第１のボビン２０（１）に相当し、右上寄りに配置されたボビン２０は第２のボビン２０（２）に相当する。
【００１２】
鍔部２２は、図１、図２に示されるように、互いに平行に配置され巻芯部２１の軸方向に垂直の方向に指向する略板状をした端面板２２Ａと内側板２２Ｂとを有しており、端面板２２Ａと内側板２２Ｂとの間には、鍔部２２の周面よりも窪んだ溝２２ａ（図２）が形成されている。端面板２２Ａは略円盤形状をなしており、図４に示されるように、直径位置に一対の三角形状切欠き２２ｂが形成されている。また、端面板２２Ａの中心位置には、コア１０の長辺部１２が貫通する貫通孔２２ｃが形成されており、貫通孔２２ｃの近傍位置には、略長方形状をしたフック係合貫通孔２２ｄが形成されている。
【００１３】
内側板２２Ｂは、あたかもそれぞれの角部が面取されたような略四角形状をしており、図５に示されるように、当該略四角形状を規定する一の辺に略平行に切欠き２２ｅが形成されている。切欠き２２ｅには、後述の導線３０の一端３０Ａ近傍部分、他端３０Ｂ近傍部分を係止させることができ、導線３０の一端３０Ａ近傍部分、他端３０Ｂ近傍部分において、切欠き２２ｅに係止されている導線３０の部分よりも一端３０Ａ寄り、他端３０Ｂ寄りの部分を端面板２２Ａと内側板２２Ｂとの間の溝２２ａに収容できるように構成されている。内側板２２Ｂの周面の一部であって内側板２２Ｂの略四角形状を規定する４つの辺に相当する部分は、それぞれ平坦面をなし、そのうちの一の平坦面は鍔部平坦面２２Ｃをなし、当該鍔部平坦面２２Ｃに隣接する平坦面はベース当接面２２Ｄをなす。
【００１４】
ボビン２０の中鍔部２３は、図１に示されるように、巻芯部２１に垂直の方向へ互いに平行に配置された一対の中鍔部内側板２３Ａ、２３Ａを有している。中鍔部内側板２３Ａは、切欠き２２ｅが形成されていないことを除き、内側板２２Ｂと同一形状をなしている。従って、内側板２２Ｂと同様に、図６に示されるように、中鍔部内側板２３Ａの周面の一部であって中鍔部内側板２３Ａの略四角形状を規定する４つの辺に相当する部分は、それぞれ平坦面をなし、そのうちの一の平坦面は鍔部平坦面２３Ｂをなし、当該鍔部平坦面２３Ｂに隣接する平坦面はベース当接面２３Ｃをなす。
【００１５】
図１に示されるように、２つの中鍔部内側板２３Ａ、２３Ａ間には歯車２３Ｄが設けられている。歯車２３Ｄは巻芯部２１（図７）と同軸的に設けられており、巻芯部２１と一体で構成され、巻芯部２１と一体回転可能である。歯車２３Ｄは、コモンモードフィルタ１を製造する際に、図示せぬコモンモードフィルタの製造装置の歯車と噛合し、図示せぬコモンモードフィルタの製造装置の歯車が回転することで、歯車２３Ｄが巻芯部２１と一体で回転し、巻芯部２１に導線３０を巻回することができるように構成されている。また、中鍔部２３は第１のボビン２０（１）、第２のボビン２０（２）をそれぞれ軸方向に一次側と二次側とに２分割するように構成されており、中鍔部２３に関して、第１のボビン２０（１）、第２のボビン２０（２）における図１の右下側が一次側に相当し、左上側が二次側に相当する。また、中鍔部２３は絶縁壁に相当する。
【００１６】
ボビン２０は、回転軸方向たる巻芯部２１の軸心の延出する方向に沿った分割面２０−１Ａ、２０−１Ａ（図６）で２つの分割ボビン部２０−１、２０−１に２分割可能に構成されている。分割ボビン部２０−１、２０−１は、それぞれ同一形状をしており、分割面２０−１Ａ、２０−１Ａにおいて互いに当接し合うことによりボビン２０を構成する。このような構成とし、コア１０を一体構成としたため、コア１０を分割可能としてボビン２０を一体構成とする場合と比較して、特性の良好なコモンモードフィルタ１とすることができる。
【００１７】
巻芯部２１には導線３０が巻回されている。導線３０としては、例えば周囲を絶縁被覆された銅線が用いられる。導線３０は、図１、図２、及び図７に示されるように、第１のボビン２０（１）と第２のボビン２０（２）とに渡るようにして、一次側、二次側にそれぞれ１本ずつ計２本巻回されている。より詳細には１本の導線３０は、その一端３０Ａ近傍部分が第１のボビン２０（１）の一端側の鍔部２２−１近傍に位置しており、当該鍔部２２−１から中鍔部２３へ向かって巻芯部２１に巻回され、次に中鍔部２３から鍔部２２−１へ向かって巻芯部２１に巻回され、次に鍔部２２−１から中鍔部２３へ向かって巻芯部２１に巻回され、次に中鍔部２３から鍔部２２−１へ向かって巻芯部２１に巻回され、次に鍔部２２−１から中鍔部２３へ向かって巻芯部２１に巻回され、図７に示されるように、中鍔部２３の近傍位置で中鍔部２３に隣接して第１のボビン２０（１）の下側から第２のボビン２０（２）の上側へと掛け渡される。導線３０の巻回方向は、図７に示される巻芯部２１の軸方向から見て反時計方向である。
【００１８】
そして、第２のボビン２０（２）において中鍔部２３からボビン２０の一端側の鍔部２２−１へ向かって巻芯部２１に巻回され、次にボビン２０の一端側の鍔部２２−１から中鍔部２３へ向かって巻芯部２１に巻回され、中鍔部２３からボビン２０の一端側の鍔部２２−１へ向かって巻芯部２１に巻回され、次にボビン２０の一端側の鍔部２２−１から中鍔部２３へ向かって巻芯部２１に巻回され、中鍔部２３からボビン２０の一端側の鍔部２２−１へ向かって巻芯部２１に巻回され、導線３０の他端３０Ｂ近傍部分が第２のボビン２０（２）の一端側の鍔部２２−１近傍に位置するように巻回されている。導線３０の巻回方向は、図７に示される巻芯部２１の軸方向から見て反時計方向である。
【００１９】
他の１本の導線３０についても同様に、その一端３０Ａ近傍部分が第１のボビン２０（１）の他端側の鍔部２２−２近傍に位置しており、第１のボビン２０（１）において当該鍔部２２−２から中鍔部２３へ向かって巻芯部２１に巻回され、次に中鍔部２３から鍔部２２−２へ向かって巻芯部２１に巻回され、次に鍔部２２−２から中鍔部２３へ向かって巻芯部２１に巻回され、次に中鍔部２３から鍔部２２−２へ向かって巻芯部２１に巻回され、次に鍔部２２−２から中鍔部２３へ向かって巻芯部２１に巻回され、中鍔部２３の近傍位置で中鍔部２３に隣接して第１のボビン２０（１）の下側から第２のボビン２０（２）の上側へと掛け渡される。このように、第１のボビン２０（１）と第２のボビン２０（２）とを掛渡す導線３０、３０の部分は中鍔部２３に隣接して配置されているため、後述のように導線３０の一端３０Ａ部分及び他端３０Ｂ部分の鍔部２２−１、２２−２への係止を解除して取外す際に、当該掛け渡している導線３０の部分が取外しの障害となることを防止できる。
【００２０】
そして、第２のボビン２０（２）において中鍔部２３からボビン２０の他端側の鍔部２２−２へ向かって巻芯部２１に巻回され、次にボビン２０の他端側の鍔部２２−２から中鍔部２３へ向かって巻芯部２１に巻回され、次に中鍔部２３からボビン２０の他端側の鍔部２２−２へ向かって巻芯部２１に巻回され、次にボビン２０の他端側の鍔部２２−２から中鍔部２３へ向かって巻芯部２１に巻回され、次に中鍔部２３からボビン２０の他端側の鍔部２２−２へ向かって巻芯部２１に巻回され、導線３０の他端３０Ｂ近傍部分が第２のボビン２０（２）の他端側の鍔部２２−２近傍に位置するように巻回されている。このように導線３０を巻回することにより、一次側の導線と二次側の導線との結合が良くなり、良好な直流重畳特性を得ることができる。
【００２１】
導線３０の一端３０Ａ、他端３０Ｂ（図４等）はそれぞれユーザ端子たるピン端子をなす。より詳細には、導線３０の一端３０Ａ近傍部分、他端３０Ｂ近傍部分は、巻芯部２１から後述する絶縁ベース４０の方へ延出し、導線３０の一端３０Ａ近傍部分、他端３０Ｂ近傍部分は後述の絶縁ベース４０の切欠き４０ａ（図２）に係止され、導線３０の当該係止されている部分よりも一端３０Ａ寄り他端３０Ｂ寄りの部分がピン端子をなす。
【００２２】
絶縁ベース４０は略長方形状をした板状をなしており、絶縁性の材料により構成されている。絶縁ベース４０の表面はコア１０及びボビン２０と対向する鍔部対向面４１をなし、裏面は実装基板対向面４２をなす。絶縁ベース４０の４つの角部の近傍位置には、図２に示されるように略Ｖ字形状の切欠き４０ａが形成されており、Ｖ字を形成する鋭角の角をなす切欠き４０ａの先端部分には、導線３０の径よりも小さな円形の貫通孔部４０ｂ、４０ｂ（図６）が形成されている。貫通孔部４０ｂ、４０ｂには、巻芯部２１から引出されピン端子を構成する導線３０の一端３０Ａ近傍部分、他端３０Ｂ近傍部分がそれぞれ１本ずつ係止されている。貫通孔部４０ｂ、４０ｂは、実装基板対向面４２から鍔部対向面４１に向かうにつれて縮径するテーパ形状をなしており、貫通孔部４０ｂ、４０ｂに係止される導線３０が異なる場合であっても当該貫通孔部４０ｂ、４０ｂに係止可能に構成されている。
【００２３】
絶縁ベース４０の鍔部対向面４１にはフック４３と回転規制片４４とが設けられている。フック４３は、図１、図２に示されるように、略長方形状をした絶縁ベース４０の角部近傍位置にそれぞれ１つずつ、鍔部対向面４１に垂直に立設している。フック４３の先端には、図４に示されるようにフック部４３Ａ（図４等）が設けられており、フック部４３Ａは、それぞれ鍔部２２のフック係合貫通孔２２ｄに１つずつ係合可能である。
【００２４】
回転規制片４４は、略長方形状をした絶縁ベース４０の一対の長辺中央位置に、短辺に平行に等間隔で３つ設けられている。回転規制片４４はそれぞれ略四角柱形状をなしており、鍔部対向面４１に垂直に立設している。回転規制片４４の側面は図５、図６に示されるように規制片平坦面４４Ａをなしており、フック４３のフック部４３Ａが鍔部２２のフック係合貫通孔２２ｄに係合しているときに、規制片平坦面４４Ａは鍔部平坦面２２Ｃ、２３Ｂに面で当接し、ボビン２０がコア１０の長辺部１２に対して回転不能の状態となり、接着剤を用いずにコア１０、ボビン２０、及び導線３０が絶縁ベース４０に支持固定されるように構成されている。
【００２５】
また、このようにコア１０、ボビン２０、及び導線３０が絶縁ベース４０に固定されているときには、絶縁ベース４０の鍔部対向面４１の一部は、図５、図６に示されるように、ベース当接面２２Ｄ、２３Ｃに当接するように構成されている。従って、フック４３のフック部４３Ａが鍔部２２のフック係合貫通孔２２ｄに係合していることと、規制片平坦面４４Ａは鍔部平坦面２２Ｃ、２３Ｂに面で当接していることと、絶縁ベース４０の鍔部対向面４１の一部がベース当接面２２Ｄ、２３Ｃに当接することとで、接着剤を用いずにコア１０の長辺部１２に対するボビン２０の回転をより確実に防止することができるように構成されている。
【００２６】
コモンモードフィルタの製造方法では、先ず、所定の長さの導線３０を２本用意する。ここで、所定の長さとは、前述のように第１のボビン２０（１）及び第２のボビン２０（２）の一次側、又は二次側においてそれぞれ導線３０を当該第１のボビン２０（１）、第２のボビン２０（２）を掛け渡すようにして巻回できる長さである。
【００２７】
次に、コア１０の長辺部１２、１２を分割ボビン部２０−１、２０−１、２０−１、２０−１でそれぞれ挟むようにして分割面２０−１Ａ同士を互いに当接させ、長辺部１２、１２が第１のボビン２０（１）、第２のボビン２０（２）の軸心位置となるようにしてボビン２０、２０を構成する。次に、図８に示されるようなコモンモードフィルタの製造装置１００１にセットし、当該製造装置１００１の歯車１０１１に中鍔部２３、２３の歯車２３Ｄ、２３Ｄをそれぞれ噛合させる。次に、図９に示されるように、製造装置１００１の一対のコア支持部材１０１２、１０１２をコア１０へ接近させて当接させ、コア１０を製造装置１００１に対して移動不能に固定する。
【００２８】
次に、第１ボビン巻回工程を行う。第１ボビン巻回工程では、図９に示されるように、先ず２本の導線３０、３０をそれぞれ製造装置１００１の一対のプーリ１０１３、１０１３に掛け、導線３０、３０の一端３０Ａ、３０Ａ近傍部分を第１のボビン２０（１）の鍔部２２−１、２２−２の切欠き２２ｅ、２２ｅにそれぞれ掛ける。そして、導線３０、３０に張力を付加した状態とし、製造装置１００１の歯車１０１１を回転させることにより第１のボビン２０（１）の歯車２３Ｄを回転させ第１のボビン２０（１）を回転させ、導線３０の一端３０Ａ近傍部分であって切欠き２２ｅに掛けられている部分よりも一端３０Ａ寄りの部分を鍔部２２−１、２２−２の溝２２ａに嵌入すると共に、導線３０の部分であって切欠き２２ｅに掛けられている部分よりも他端３０Ｂ寄りの部分を巻芯部２１の一次側及び二次側にそれぞれ巻回してゆく。具体的には、一対のプーリ１０１３、１０１３は、その軸方向において互いに離間したり接近したりすることができる構成となっており、このように離間させたり接近させたりすることにより、中鍔部２３と鍔部２２−１、２２−２との間を５回行き来するように巻回する。以上が第１ボビン巻回工程である。
【００２９】
次に、第２ボビン巻回工程を行う。第２ボビン巻回工程では、先ず、図１０に示されるように、導線３０、３０の他端３０Ｂ、３０Ｂ近傍部分を第２のボビン２０（２）の鍔部２２−１、２２−２の切欠き２２ｅ、２２ｅにそれぞれ掛ける。そして、導線３０、３０に張力を付加した状態とし、製造装置１００１の歯車１０１１を回転させることにより第２のボビン２０（２）の歯車２３Ｄを回転させ第２のボビン２０（２）を回転させ、導線３０の他端３０Ｂ近傍部分であって切欠き２２ｅに掛けられている部分よりも他端３０Ｂ寄りの部分を鍔部２２−１、２２−２の溝２２ａに嵌入すると共に、導線３０の部分であって切欠き２２ｅに掛けられている部分よりも一端３０Ａ寄りの部分を巻芯部２１の一次側及び二次側にそれぞれ巻回してゆく。具体的には、中鍔部２３と鍔部２２−１、２２−２との間を５回行き来するようにして巻回する。そして、巻き終わる直前に製造装置１００１のプーリ１０１３、１０１３に設けられている導線外し部材１０１４によって、導線３０、３０をプーリ１０１３、１０１３の周面上においてプーリ１０１３、１０１３の軸方向へ移動させてプーリ１０１３、１０１３から外して落とし、そのまま導線３０、３０を巻き取って、導線３０、３０を第１のボビン２０（１）と第２のボビン２０（２）との間を掛け渡すような状態とする。以上が第２ボビン巻回工程である。
【００３０】
次に、製造装置１００１の一対のコア支持部材１０１２、１０１２をコア１０から離間させ、コア１０を製造装置１００１から取り外す。そして鍔部２２−１、２２−２の三角形状切欠き２２ｂから細い冶具を挿入して、図１１に示されるように、鍔部２２−１、２２−２の溝２２ａに嵌入されている導線３０の一端３０Ａ近傍部分と他端３０Ｂ近傍部分とをそれぞれ引出し、図１１の下方へ引出す。次に、はんだ浴に２本の導線３０の一端３０Ａ近傍部分と他端３０Ｂ近傍部分とを漬けることにより絶縁被覆を剥離すると共に、２本の導線３０の一端３０Ａ近傍部分と他端３０Ｂ近傍部分とをはんだ処理する。
【００３１】
次に図１２に示されるように、図の左右方向へと２本の導線３０の一端３０Ａ近傍部分と他端３０Ｂ近傍部分とを折曲げ、絶縁ベース４０をボビン２０に固定し、２本の導線３０の一端３０Ａ近傍部分と他端３０Ｂ近傍部分と折曲げて、絶縁ベース４０の貫通孔部４０ｂ、４０ｂに一端３０Ａ近傍部分と他端３０Ｂ近傍部分を嵌合させる。そして、所定の長さで２本の導線３０の一端３０Ａ近傍部分と他端３０Ｂ近傍部分を切断してコモンモードフィルタ１を製造する。
【００３２】
以上のようにコモンモードフィルタ１を製造することで、導線３０、３０の一端３０Ａ、３０Ａ寄りの部分を第１のボビン２０（１）に巻回し、また、一端３０Ａ、３０Ａ寄りの部分が第１のボビン２０（１）に巻回される方向と同一の方向に導線３０、３０の他端３０Ｂ、３０Ｂ寄りの部分を第２のボビン２０（２）に巻回して、導線３０、３０を第１のボビン２０（１）と第２のボビン２０（２）とを掛渡すように配置することができる。
【００３３】
また、第１のボビン２０（１）と第２のボビン２０（２）とのそれぞれにおいて、一次側と二次側とで同時に導線３０、３０を巻回するため、巻回にかかる時間を短縮することができる。
【００３４】
次に、本実施の形態によるコモンモードフィルタの効果を試す試験を行った。試験では、本発明品として本実施の形態によるコモンモードフィルタ１を用い、従来品として従来のコモンモードフィルタを用いて、電流値が０Ａ〜８ＡのときのＬの変化率（％）を求めた。
【００３５】
ここで、従来のコモンモードフィルタとは、実開平６−２３２３１号公報に記載されている構成のコモンモードフィルタであって２のボビンのそれぞれ巻回される巻線の長さが、本実施の形態によるコモンモードフィルタの２本の導線とそれぞれ同じ長さを有しており、また、ボビンの軸方向長さ、ボビンの巻芯部の直径、及びコアの寸法が、本実施の形態によるコモンモードフィルタ１のボビン２０の軸方向長さ、ボビン２０の巻芯部２１の直径、及びコア１０の寸法と同一の値であるコモンモードフィルタである。試験結果は図１３に示すとおりである。図１３において実線は本発明品を示しており、破線は従来品を表している。
【００３６】
図１３に示されるように、電流値が０Ａのときと比較して、従来品では電流値が４ＡでＬ変化率は略−３０％、電流値が８ＡでＬ変化率は略−１００％と大きく落ち込んでいる。これに対して本発明品ではほとんど落ち込んでおらず、電流値が０Ａのときと比較して、電流値が８ＡでＬ変化率は略−２０％程度である。以上より、本発明では従来品と比較してはるかに直流重畳特性が良好であることが分かる。
【００３７】
本発明によるコモンモードフィルタの製造方法は、上述した実施の形態に限定されず、特許請求の範囲に記載した範囲で種々の変形や改良が可能である。例えば、第１ボビン巻回工程の後に第２ボビン巻回工程を行ったが、第１ボビン巻回工程と第２ボビン巻回工程とを同時に行ってもよい。即ち、第１のボビン２０（１）の鍔部２２−１、２２−２に導線３０、３０の一端３０Ａ、３０Ａ部分を係止し、第２のボビン２０（２）の鍔部２２−１、２２−２に導線３０、３０の他端３０Ｂ、３０Ｂ部分を係止する導線端部分係止工程を行い、次に、第１のボビン２０（１）を回転させて導線３０、３０の一端３０Ａ、３０Ａ寄りの部分を第１のボビン２０（１）の巻芯部２１に巻回すると同時に、第１ボビン２０（１）と同一の回転方向に第２のボビン２０（２）を回転させて導線３０、３０の他端３０Ｂ、３０Ｂ寄りの部分を第２のボビン２０（２）の巻芯部２１に巻回する導線巻回工程を行うようにしてもよい。このようにすることで、巻回にかかる時間を大幅に短縮することができる。
【００３８】
また、本実施の形態では、第１のボビン２０（１）、第２のボビン２０（２）それぞれにおいて、一次側と二次側とで同時に導線３０、３０を巻回したが、同時に巻回しなくてもよい。
【００３９】
また、製造装置１００１の歯車１０１１は、図８の下方側において歯車２３Ｄと噛合したが、更に、図８の上方側からも歯車２３Ｄに噛合する歯車を製造装置に設けて、略上下方向から歯車２３Ｄに噛合させて歯車２３Ｄを回転させてもよい。このようにすることにより、より大きなトルクで歯車２３Ｄを回転させることができるとともに、ボビン２０、２０及びコア１０を製造装置に対して移動しないように固定することができる。
【００４０】
また、歯車２３Ｄを回転させることにより導線３０を巻回させたが、歯車２３Ｄを用いずに手動でボビン２０を回転させて巻芯部２１に導線３０を巻回させてもよい。
【産業上の利用可能性】
【００４１】
本発明は、４つの辺部を有する略ロの字形状をなすコアと、当該辺部に回転可能に支承され導線が巻回されたボビンとを有し、絶縁ベースにコア及びボビンが固定されるコモンモードフィルタの分野において有用である。また、本発明のコモンモードフィルタはラインフィルタとして用いることができる。
【図面の簡単な説明】
【００４２】
【図１】本発明の実施の形態によるコモンモードフィルタの製造方法により製造されるコモンモードフィルタを示す斜視図。
【図２】本発明の実施の形態によるコモンモードフィルタの製造方法により製造されるコモンモードフィルタを示す平面図。
【図３】本発明の実施の形態によるコモンモードフィルタの製造方法により製造されるコモンモードフィルタを示す正面図。
【図４】本発明の実施の形態によるコモンモードフィルタの製造方法により製造されるコモンモードフィルタを示す右側面図。
【図５】図２のＶ−Ｖ線に沿った断面図。
【図６】図２のＶＩ−ＶＩ線に沿った断面図。
【図７】図２のＶＩＩ−ＶＩＩ線に沿った断面図。
【図８】本発明の実施の形態によるコモンモードフィルタの製造方法においてコア及びボビンを製造装置に装着する様子を示す斜視図。
【図９】本発明の実施の形態によるコモンモードフィルタの製造方法において導線の一端近傍部分を第１のボビンの鍔部に係止する様子を示す斜視図。
【図１０】本発明の実施の形態によるコモンモードフィルタの製造方法において導線の他端近傍部分を第２のボビンの鍔部に係止する様子を示す斜視図。
【図１１】本発明の実施の形態によるコモンモードフィルタの製造方法において導線の一端近傍部分及び他端近傍部分を引出す様子を示す斜視図。
【図１２】本発明の実施の形態によるコモンモードフィルタの製造方法において絶縁ベースをボビンに固定する様子を示す斜視図。
【図１３】本発明の実施の形態によるコモンモードフィルタの製造方法により製造されるコモンモードフィルタの試験結果を示すグラフ。
【符号の説明】
【００４３】
１              コモンモードフィルタ
１０            コア
１１            短辺部
１２            長辺部
２０            ボビン
２０（１）      第１のボビン
２０（２）      第２のボビン
２１            巻芯部
２２            鍔部
２３            中鍔部
３０            導線
３０Ａ          一端
３０Ｂ          他端
２３Ｄ          歯車
【図１】
0004595990.tif 000002
【図２】
0004595990.tif 000003
【図３】
0004595990.tif 000004
【図４】
0004595990.tif 000005
【図５】
0004595990.tif 000006
【図６】
0004595990.tif 000007
【図７】
0004595990.tif 000008
【図８】
0004595990.tif 000009
【図９】
0004595990.tif 000010
【図１０】
0004595990.tif 000011
【図１１】
0004595990.tif 000012
【図１２】
0004595990.tif 000013
【図１３】
0004595990.tif 000014